(57)【要約】【課題】ネットワークの構成要素と補聴器との間の情報の伝達を支援する。【解決手段】補聴器遠隔操作部FBが低レベルのネットワークとして構成されたデータネットワークHN中に構成要素として組み込まれ、データネットワークHNから発生される例えば警告信号が補聴器HG1、HG2に提供される。【選択図】図１
2006325200.tif 000002
【特許請求の範囲】
【請求項１】
補聴器と誘導的に結合可能な補聴器遠隔操作部（FB）又は中継局であって、データネットワークから又はデータネットワークへデータを伝送するためのデータインタフェースを有するものにおいて、データネットワークが低レベルのネットワーク（HN）であることを特徴とする補聴器遠隔操作部。
【請求項２】
データインタフェースが低レベルのネットワーク（HN）への双方向性結合を保証することを特徴とする請求項１記載の補聴器遠隔操作部。
【請求項３】
データインタフェースがジグビー規格に適合することを特徴とする請求項１又は２記載の補聴器遠隔操作部。
【請求項４】
ネットワークの１つ又は複数の構成要素の状態を光学的に管理するために表示装置が使用されることを特徴とする請求項１から３のいずれか１つに記載の補聴器遠隔操作部。
【請求項５】
ネットワークの１つ又は複数の構成要素を制御するため特殊な操作要素が使用されることを特徴とする請求項２〜５のいずれか１つに記載の補聴器遠隔操作部。
【請求項６】
データ処理装置を有し、このデータ処理装置により、家を出るとき家庭用器具のあらかじめ設定され得る数の状態がホームネットワーク（HN）において点検されることを特徴とする請求項２〜５のいずれか１つに記載の補聴器遠隔操作部。
【請求項７】
補聴器と請求項１〜６のいずれか１つに記載の補聴器遠隔操作部とを有する補聴器システムであって、補聴器遠隔操作部（FB）におけるあらかじめ設定されるデータの受領に基づいて補聴器（HG1、HG2）において音響信号が発生されることを特徴とする補聴器システム。
【請求項８】
音響信号の種類及び音又はそのいずれか一方が受領したデータのソースに関係して可変であることを特徴とする請求項７記載の補聴器システム。
【請求項９】
補聴器（HG1、HG2）と誘導的に結合可能な補聴器遠隔操作部（FB）又は中継局の使用方法において、
低レベルネットワーク（HN）の１つ又は複数の構成要素を制御するため、及び
低レベルネットワーク（HN）を介して１つ又は複数の構成要素からデータを受領するため、
又はそのいずれか一方のため、
データ及び指令又はそのいずれか一方が補聴器（HG1、HG2）とネットワーク（HN）との間の仲介物としての中継局又は遠隔操作部を介して伝送される
ことを特徴とする補聴器遠隔操作部又は中継局の使用方法。
【請求項１０】
低レベルネットワーク（HN）がジグビー規格に適合することを特徴とする請求項９記載の使用方法。
【請求項１１】
補聴器遠隔操作部（FB）によって、家を出るとき家庭用器具のあらかじめ設定され得る数の状態がホームネットワーク（HN）において点検されることを特徴とする請求項９又は１０記載の使用方法。
【請求項１２】
所属の補聴器（HG1、HG2）においてあらかじめ設定されるデータの受領に基づいて補聴器遠隔操作部（FB）において音響信号が発生されることを特徴とする請求項９〜１１のいずれか１つに記載の使用方法。
【発明の詳細な説明】
【技術分野】
【０００１】
本発明は、データをデータネットワークから又はデータネットワークへ伝送するためのデータインタフェースを有する補聴器遠隔操作部又は中継局に関する。さらに本発明は補聴器遠隔操作部の対応する使用方法に関する。
【背景技術】
【０００２】
難聴者のためのホームネットワークないしアラームシステムのこれまで既知の技術的に実現されたものは、通常の補聴器システムとの直接的な情報の伝達はすることができない。現存するシステムは、難聴者にホームネットワーク（玄関ベル、電話、目覚まし時計、ベビーフォンなど）における事象を通知するために、光学的な発光信号又は振動信号を備えた補助機器を使用する。それに代わるシステムは、差込モジュール（MXL）又は誘導ループを介して補聴器への音響的結合を行う可能性を提供する。しかしながら、MLXシステムは広帯域の聴覚伝送のための補助モジュールとして設計されており、従って今問題になっている信号で知らせる使用方法のためには特に電流消費及び寸法が著しく大きくなる。
【０００３】
聴覚補助機器のためのモジュール化された遠隔操作部は公知である（例えば特許文献１参照）。この遠隔操作部は、遠隔操作部と聴覚補助機器とは異なる他の機器との間のデータ伝送のための手段を備えることができる。例えば遠隔操作部によって聴覚補助機器とデータネットワーク例えばブルーツース又は無線LANとの間の結合が作り出される。
【特許文献１】独国特許第10345173 B3号明細書
【発明の開示】
【発明が解決しようとする課題】
【０００４】
従って本発明の課題は、ネットワークの構成要素と補聴器との間の情報の伝達を支援することにある。
【課題を解決するための手段】
【０００５】
本発明によればこの課題は、特に補聴器と誘導的に結合可能な補聴器遠隔操作部又は中継局であって、データネットワークから又はデータネットワークへのデータの伝送のためのデータインタフェースを有するものにおいて、データネットワークが特に家庭用器具のための低レベルネットワークである補聴器遠隔操作部又は中継局によって解決される。従って遠隔操作部はネットワークと各補聴器との間の仲介物の機能を有し、その結果補聴器のネットワークへの極めて有効な関与が可能になる。ネットワークは、ホームネットワークかとするか、任意の他のある場所の又は移動式の無線ネットワークとすることができる。そのようなネットワークは、自動車、公的設備及び建物、空港、鉄道車両、駅等に使用することができる。
【０００６】
それに応じて、低レベルのネットワークの１つ又は複数の家庭用器具を制御するためや、低レベルのネットワークを介して家庭用器具からのデータを受けるために補聴器遠隔操作部を使用することも提案される。
【０００７】
現存の解決法と異なり、本発明による解決法に対しては補聴器に対する高価な補足モジュールは必要としない。ホームネットワークへの結合のための構成部分は遠隔操作部又は中継局中に格納され、従って通常の補聴器電池より明らかに性能のよい電池又は蓄電池から動かすことができる。それ故ホームネットワーク結合に関する追加の機能性が、現存の遠隔制御可能な補聴器システムにより極めて場所及び電流を節減して実現され得る。
【０００８】
本発明による補聴器遠隔操作部ないしこの補聴器遠隔操作部の本発明による使用方法の他の利点は、着用者が例えばホームネットワーク（スマート・ホームシステム）の作用範囲内で自由に動くことができ、ただ遠隔操作部を携帯しなければならないだけであることにある。さらに、ホームネットワーク内の通報すべき事象は利用者によって自由に設定され得る。
【０００９】
とりわけデータインタフェースは低レベルネットワークないしホームネットワークへの双方向性結合を保証する。それによって、遠隔操作部により問合せ可能性のみならず制御可能性をも与えられる。
【００１０】
特殊の実施形態に相応して、データインタフェースはジグビー規格（ZigBee Standard）に適合する。これによって、伝送フォーマットのみならずデータ伝送率が確定される。ところでこの明細書で使用される概念「低レベルの」とは、データ伝送率がほぼジグビー規格に従って確定されるものと解されるべきである。
【００１１】
他の実施形態に相応して、本発明による補聴器遠隔操作部は家庭用器具の１つ又は複数の状態の光学的管理のための表示装置を有する。特にディスプレイによって、多数の状態情報が再現され得る。
【００１２】
さらに、補聴器遠隔操作部は家庭用器具の１つ又は複数を制御するための特殊な操作要素を自由に処理することができる。従って家庭用器具を制御するための標準使用が補聴器着用者に対しより便利に構成され得る。
【００１３】
補聴器遠隔操作部はさらにデータ処理装置を備えることができ、このデータ処理装置によって、家を出るときホームネットワーク内の家庭用器具のあらかじめ設定され得る数の状態を点検することができる。従って補聴器着用者は家庭用器具の点検のための補助器具を使用する必要がない。
【００１４】
補聴器と上述の補聴器遠隔操作部とを有する対応する補聴器システムにおいては、補聴器遠隔操作部におけるあらかじめ設定されるデータの受領に基づいて補聴器内に音響信号を発生させ得るようにすることが可能である。従って補聴器はホームネットワークにおける状態を信号で知らせるために快適に使用することができる。
【００１５】
受け取ったデータのソースに関係して音響信号の種類や音を変え得るようにすると好都合である。従って例えば洗濯機又は開いた窓に関するホームネットワークの信号報知を容易に音響的に異ならせることができる。
【発明を実施するための最良の形態】
【００１６】
次に本発明を、ホームネットワーク中に結び付けられた補聴器遠隔操作部の原理図を示す図面について詳細に説明する。
【実施例】
【００１７】
以下に詳細に説明される実施例は本発明の有利な実施形態を示す。
【００１８】
ホームネットワークHNは図では洗濯機Ｗ、ランプＬ及びサーモスタットを有する暖房器具放熱体Ｈによって表わされている。これらの機器はホームネットワークHNを介して任意に相互にコミュニケーション可能である。ホームネットワークとしては、例えば、ジグビー規格によるネットワーク、所有者のホームネットワーク、又は聴覚障害者特殊解決手段が対象となり、その際常にジグビー規格又はそれ以下の大きさ規模の低レベルのデータ伝送が用いられる。
【００１９】
ホームネットワークHNには、本発明により、補聴器HG1及びHG2に単方向又は双方向のデータ結合を有する補聴器遠隔操作部FBも組み込まれている。補聴器HG1及びHG2はそれ自身はホームネットワークの構成要素ではなく、相互にないし遠隔操作部FBと通常の伝送技術を用いてコミュニケーションする。遠隔操作部FBは送信及び受信機能性を有する十分に資格を備えた加入者であるから、その中には各ホームネットワークシステムの対応する標準構成要素が組み込まれている。
【００２０】
遠隔操作部FBはホームネットワークHNの一部として対応する事象に反応し、例えば補聴器HG1、HG2との無線式のディジタル式結合を介して対応する音響信号を利用者に急報するために発生させる。この信号の種類及び音は、各ソースＬ、Ｗ、Ｈの性質に合わせることができる。そのようにして、ホームネットワークの一部である玄関ベル又は電話が補聴器遠隔操作部FBとコミュニケーションすることができる。到着する通話又は玄関ベルの作動は従って遠隔操作部FBによって検出され、補聴器内に指令を発生し、この指令は各特殊な信号によって補聴器内に音響的に伝えられる。
【００２１】
本発明による補聴器システムの他の実施形態においては、家を出るとき現存のホームネットワークHNにより、利用者によりあらかじめ与えられ得る量の状態が点検される。そのようにして例えば、暖房装置、蛇口、加熱プレート及び光源が遮断されているか否かが点検される。望ましくない状態が存在する場合には、この状態は遠隔操作部FBが対応する表示要素を利用し得る限り遠隔操作部FB上に表示され得る。それに加えてその状態は自動的に、信号音を介して補聴器着用者に音響的に通知され得る。遠隔操作部FBがさらに操作要素を自由に処理し得る場合には、ホームネットワークHNの個々の機器を相応に制御し、管理することができる。その際、キー制御のための操作要素の代わりに言語による制御を予定することも可能である。このために聴覚システムのマイクロホン技術及び伝送技術がオペレータインタフェースとして使用される。制御方式と無関係に、遠隔操作部は従って追加の機能性、即ち聴覚システムの制御のほかに家庭機械設備の制御をも与えられる。
【００２２】
遠隔操作部の代わりに、中継局を一方では補聴器と、他方では家庭機械設備と結ぶこともできる。そのようにして、中継局を例えば、音響信号を補聴器内へ誘導的に伝送するために、またホームネットワークを通して特殊な信号音を補聴器内で発生させるために利用することができる。さらに、この中継局に状態情報をホームネットワークを介して表示することもできる。
【００２３】
従って、ネットワークと補聴器との間の仲介物としての遠隔操作部により補聴器着用者に対し、家庭用器具及び設備の操作及び監視をより便利に構成すること、また無線ネットワークの構成要素から補聴器への情報の伝達を支援することができる。
【図面の簡単な説明】
【００２４】
【図１】本発明の実施例の原理図である。
【符号の説明】
【００２５】
HN  ホームネットワーク
Ｗ  洗濯機
Ｌ  ランプ
Ｈ  暖房用放熱体
FB  補聴器遠隔操作部
HG1、HG2  補聴器
【図１】
2006325200.tif 000003